(57)【要約】【課題】  １回の撮影操作に応答して複数の画像記録が可能な撮像装置における使い勝手を向上すること。【解決手段】  １回の撮影操作に応答して複数の画像記録を行うモードでの撮影が行われた場合、撮影直後に撮影画像データを表示する撮影画像確認画面から削除指示がなされたなら、同一撮影に係る複数の画像データ全てを一括して削除する。一方、画像閲覧モードにおいて、同一撮影に係る複数の画像データの１つの削除指示がなされた場合には、当該削除指示がなされたが１つの画像のみを削除する。【選択図】  図４
2006203809.tif 000002
【特許請求の範囲】
【請求項１】
１回の撮影操作に応答して１つの撮影画像データを生成する通常撮影モードと、１回の撮影操作に応答して複数の撮影画像データを生成する複数同時記録モードとを有する撮像装置であって、
撮影直後に撮影画像データを表示する表示制御手段と、
前記撮影画像データの表示中における削除指示の有無を検出する検出手段と、
前記削除指示がなされたことが検出された場合、前記表示中の撮影画像データが、前記通常撮影モードでの撮影で生成された撮影画像データである場合には、前記表示中の撮影画像データのみを削除し、前記複数同時記録モードでの撮影で生成された画像データである場合には、表示中の撮影画像データとともに前記複数同時記録モードでの撮影で生成された他の画像データをも削除する削除手段とを有することを特徴とする撮像装置。
【請求項２】
前記表示制御手段が、前記複数同時記録モードにおける撮影で生成された複数の撮影画像データのうち、１つのみを前記撮影直後に表示することを特徴とする請求項１記載の撮像装置。
【請求項３】
前記複数同時記録モードにおける撮影で生成される複数の画像データが、通常の撮影条件で撮影し、通常の画像処理を行って生成した通常画像データと、前記撮影条件及び前記画像処理の少なくとも一方を前記通常画像データと異ならせて生成した加工画像データからなり、前記撮影直後に表示される画像データが、前記加工画像データであることを特徴とする請求項２記載の撮像装置。
【請求項４】
前記撮影条件が露出値、フォーカス又はホワイトバランスであることを特徴とする請求項３記載の撮像装置。
【請求項５】
前記画像処理が、符号化処理、色処理及びフィルタ処理の少なくとも１つであることを特徴とする請求項３又は請求項４記載の撮像装置。
【請求項６】
前記撮影条件が露出値又はフォーカスであることを特徴とする請求項３記載の撮像装置。
【請求項７】
前記画像処理が、符号化処理、色処理、フィルタ処理及びホワイトバランスの少なくとも１つであることを特徴とする請求項３又は請求項６記載の撮像装置。
【請求項８】
前記撮影操作がシャッターボタンの押下であり、前記表示制御手段が、前記撮影操作から引き続いて前記シャッターボタンの押下状態が維持されている間、前記撮影直後の撮影画像データの表示を継続することを特徴とする請求項１乃至請求項７のいずれか１項に記載の撮像装置。
【請求項９】
記録媒体に記録された撮影画像データを閲覧する画像閲覧モードにおいて、前記複数同時記録モードでの撮影で生成された複数の撮影画像データの１つの削除指示がなされた場合、前記削除手段は、当該削除指示がなされた１つの撮影画像データのみを削除することを特徴とする請求項１乃至請求項８のいずれか１項に記載の撮像装置。
【請求項１０】
１回の撮影操作に応答して１つの撮影画像データを生成する通常撮影モードと、１回の撮影操作に応答して複数の撮影画像データを生成する複数同時記録モードとを有する撮像装置の制御方法であって、
撮影直後に撮影画像データを表示する表示工程と、
前記撮影画像データの表示中における削除指示の有無を検出する検出工程と、
前記削除指示がなされたことが検出された場合、前記表示中の撮影画像データが、前記通常撮影モードでの撮影で生成された撮影画像データである場合には、前記表示中の撮影画像データのみを削除し、前記複数同時記録モードでの撮影で生成された画像データである場合には、表示中の撮影画像データとともに前記複数同時記録モードでの撮影で生成された他の画像データをも削除する削除工程とを有することを特徴とする撮像装置の制御方法。
【発明の詳細な説明】
【技術分野】
【０００１】
本発明は、撮像装置に関し、特に１回の撮影操作に応答して複数の画像を記録可能な撮像装置における、画像の取り扱い方法に関する。
【背景技術】
【０００２】
近年、デジタルスチルカメラ、デジタルビデオカメラのような、撮像素子を用いた撮像装置の高機能化が進んでいる。これらの撮像装置は、画像をデジタルデータとして処理するため、撮影画像に対して様々な効果を施して記録することが可能である。
【０００３】
そして、撮像装置の中には、例えば一度の撮影で露出やホワイトバランスを少しずつ変化させた複数枚の画像を撮影するブラケット機能等、一度の撮影操作に応答して複数枚の画像ファイルを生成、記録する機能が搭載されているものがある（特許文献１参照）。
【０００４】
【特許文献１】特開２００３−８７６０８号公報
【発明の開示】
【発明が解決しようとする課題】
【０００５】
従来の撮像装置では、ブラケット機能等を利用して、１回の撮影操作により生成、記録された複数の画像データファイルであっても、通常の撮影により生成、記録された画像データファイルと同様に取り扱われていた。
【０００６】
１度の撮影操作で生成される複数の画像は通常関連性を有している。例えばブラケット機能により撮影された複数の画像は、色味は違うものの基本的には全く同じ、或いはほぼ同じ画角の画像である。そのため、これら複数の画像はまとめて取り扱った方が利便性がよい場合がある。
【０００７】
しかし、従来の撮像装置では、ユーザが例えばブラケット機能で撮影した３枚の画像を全て削除しようとした場合、通常の撮影画像を３枚削除するのと同様に、例えば閲覧モードにして３枚の画像を個別に選択、削除する必要があり、不便であった。
【０００８】
本発明は、このような従来技術の課題に鑑みなされたものであり、一度の撮影操作により撮影された複数枚の画像の取り扱いを改善し、ユーザの使い勝手のよい撮像装置及びその制御方法を提供することを目的とする。
【課題を解決するための手段】
【０００９】
上述の目的は、１回の撮影操作に応答して１つの撮影画像データを生成する通常撮影モードと、１回の撮影操作に応答して複数の撮影画像データを生成する複数同時記録モードとを有する撮像装置であって、撮影直後に撮影画像データを表示する表示制御手段と、撮影画像データの表示中における削除指示の有無を検出する検出手段と、削除指示がなされたことが検出された場合、表示中の撮影画像データが、通常撮影モードでの撮影で生成された撮影画像データである場合には、表示中の撮影画像データのみを削除し、複数同時記録モードでの撮影で生成された画像データである場合には、表示中の撮影画像データとともに複数同時記録モードでの撮影で生成された他の画像データをも削除する削除手段とを有することを特徴とする撮像装置によって達成される。
【００１０】
また、上述の目的は、１回の撮影操作に応答して１つの撮影画像データを生成する通常撮影モードと、１回の撮影操作に応答して複数の撮影画像データを生成する複数同時記録モードとを有する撮像装置の制御方法であって、撮影直後に撮影画像データを表示する表示工程と、撮影画像データの表示中における削除指示の有無を検出する検出工程と、削除指示がなされたことが検出された場合、表示中の撮影画像データが、通常撮影モードでの撮影で生成された撮影画像データである場合には、表示中の撮影画像データのみを削除し、複数同時記録モードでの撮影で生成された画像データである場合には、表示中の撮影画像データとともに複数同時記録モードでの撮影で生成された他の画像データをも削除する削除工程とを有することを特徴とする撮像装置の制御方法によっても達成される。
【発明の効果】
【００１１】
本発明の撮像装置によれば、一度の撮影操作に応答して生成された複数の画像の取り扱いに関し、撮影直後の撮影画像確認画面にて削除指示があった場合には、その撮影そのものが失敗した可能性が高いことに鑑み、その撮影で記録した複数枚の画像全てを一括で消去する。これにより、ユーザは予想と異なる結果が得られた場合など、撮影を取り消したい場合に、撮影確認画面において削除指示を与えるだけで、その撮影で記録した複数枚の画像全てを一括して削除する事ができ、画像閲覧モードに変更して複数の画像を一枚ずつ削除する必要がない。
【発明を実施するための最良の形態】
【００１２】
以下、図面を参照して本発明をその好適な実施形態に基づいて詳細に説明する。
以下の実施形態では、撮像装置の一例としてのデジタルスチルカメラに本発明を適用した例を説明する。しかし、本発明はデジタルスチルカメラに限らず、画像を電気信号又はデジタルデータとして記録する任意の撮像装置（例えば、デジタルビデオカメラ、デジタルスチルカメラ）及び、このような撮像装置を内蔵もしくは利用可能な任意の装置、例えば、撮像機能を有する情報処理装置（例えば、パーソナルコンピュータ）や撮像機能を有する携帯端末（例えば、携帯電話機）に適用することが可能である。
【００１３】
（構成の説明）
図１は、本実施形態に係るデジタルスチルカメラ（以下、単にデジタルカメラという）の構成例を示すブロック図である。
デジタルカメラ１００は、光学系（撮像用レンズ）１０を介して被写体像を撮影するように構成されている。光学系１０は、ズームレンズとして構成されうる。これにより光学ズーム機能が提供されている。デジタルカメラ１００は、更に、撮像素子１４によって撮像される画像を画像処理により拡大することによる電子ズーム機能を有するように構成されうる。なお、デジタルカメラ１００は、光学ズーム及び電子ズームのいずれか一方の機能のみを有するように構成される場合もある。また、一眼レフ形式のデジタルカメラなどに見られるように、光学系１０は交換可能であってもよい。
【００１４】
光学ズーム機能は、光学系１０内の駆動機構又はデジタルカメラ１００の本体側の駆動機構により、光学系１０の変倍用のレンズを駆動することにより実現される。
【００１５】
光学系（撮影用レンズ）１０を通る被写体からの光線（レンズの画角内に入射する光線）は、絞り機能を備えるシャッター１２の開口を通して撮像素子（例えば、ＣＣＤセンサ、ＣＭＯＳセンサ）１４の撮像面に被写体の光学像を形成する。撮像素子１４は、この光学像をアナログ画像信号に変換して出力する。Ａ／Ｄ変換器１６は、撮像素子１４から提供されるアナログ画像信号をデジタル画像信号（画像データ）に変換する。撮像素子１４及びＡ／Ｄ変換器１６は、タイミング発生回路１８から提供されるクロック信号や制御信号によって制御される。タイミング発生回路１８は、メモリ制御回路２２及びシステム制御回路５０により制御される。
【００１６】
画像処理回路２０は、Ａ／Ｄ変換器１６から提供される画像データ又はメモリ制御回路２２から提供される画像データに対して画素補間処理や色変換処理等の画像処理を行う。また、画像処理回路２０は、撮像画像データに基づいて、ＴＴＬ（スルー・ザ・レンズ）方式のＡＦ（オートフォーカス）処理、ＡＥ（自動露出）処理、ＥＦ（フラッシュプリ発光による自動調光）処理のためのデータを演算して、その演算結果をシステム制御回路５０に提供する。システム制御回路５０は、この演算結果に基づいて露光制御部４０、測距制御部（ＡＦ制御部）４２を制御し、自動露出やオートフォーカス機能を実現している。更に、画像処理回路２０は、撮像画像データに基づいてＴＴＬ方式のＡＷＢ（オートホワイトバランス）処理も実行する。
【００１７】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１８】
Ａ／Ｄ変換器１６から出力される画像データは、画像処理回路２０及びメモリ制御回路２２を介して、又は、メモリ制御回路２２のみを介して、画像表示メモリ２４或いはメモリ３０に書き込まれる。なお、画像表示メモリ２４へは、画像表示部２８が備える表示器の解像度に応じて画像データを適宜間引きして書き込む。画像表示メモリ２４に書き込まれた表示用の画像データはＤ／Ａ変換回路２６を介して画像表示用のアナログ信号となり、画像表示部２８により表示される。画像表示部２８の表示器はＴＦＴ ＬＣＤ等で構成される。
【００１９】
画像表示部２８に撮像画像を連続的に表示することにより、電子ビューファインダー（ＥＶＦ）機能が実現される。画像表示部２８は、システム制御回路５０からの指令によって任意に表示をＯＮ／ＯＦＦされうる。表示をＯＦＦすることにより、デジタルカメラ１００の電力消費を大幅に低減することができる。
【００２０】
メモリ３０は、撮影した静止画像や動画像を格納するために使用される。メモリ３０は所定枚数の静止画像や所定時間の動画像を格納するのに十分な記憶量と読み書き速度速度を備えている。これにより、複数枚の静止画像を連続して撮影する連射撮影やパノラマ撮影の場合にも、高速かつ大量の画像データ書き込みをメモリ３０に対して行うことが可能となる。また、メモリ３０は、システム制御回路５０の作業領域としても使用されうる。
【００２１】
圧縮・伸長回路３２は、例えば適応離散コサイン変換（ＡＤＣＴ）等により画像データを圧縮・伸長する回路であり、メモリ３０に格納された画像データを読み込んで圧縮処理或いは伸長処理を行い、処理後の画像データをメモリ３０に書き込むように構成されうる。
【００２２】
露光制御部４０は、システム制御回路５０から提供される情報に基づいて、絞り機能を備えるシャッター１２を制御する。また、露光制御部４０は、フラッシュ（発光装置）４８と連携したフラッシュ調光機能も有しうる。フラッシュ４８は、フラッシュ調光機能及びＡＦ補助光の投光機能を有する。
【００２３】
測距制御部４２は、システム制御回路５０から提供される情報に基づいて、光学系１０のフォーカシング用レンズを制御する。ズーム制御部４４は、光学系１０のズーミングを制御する。バリア制御部４６は、光学系１０を保護するバリア１０２の動作を制御する。
【００２４】
システム制御回路５０は例えばＣＰＵであり、メモリ５２に記憶されたプログラムを実行することによりデジタルカメラ１００全体を制御する。また、システム制御回路５０は、画像表示部２８に表示する、撮像条件及び／又は撮像装置の状態などを示すオブジェクト（表示物）を描画する処理等を実行する画像処理部５０ａを含む。
【００２５】
メモリ５２は、システム制御回路５０の動作用の定数、変数、プログラム、更には、画像表示部２８にオブジェクトを表示するためのオブジェクトデータ等を記憶する。オブジェクトデータは、典型的には、デジタルカメラ１００の出荷前にメモリ５２に書き込まれうる。オブジェクトデータは、或いは、デジタルカメラ１００の出荷後に、電気通信回線を通じてダウンロードされるデータ又は記録媒体に収めてユーザーに提供されるデータに基づいてユーザーによって書き換えられてもよいし、サービスセンター等において書き換えられてもよい。
【００２６】
例えば、ＬＣＤやＬＥＤである表示部５４及び、例えば、スピーカである音源５５は、システム制御回路５０におけるプログラムの実行に応じて、文字、画像、音声等により動作状態やメッセージ等を出力するように構成される。表示部５４は例えば操作部７０近辺の視認し易い位置に、単数或いは複数設置される。また、表示部５４の一部は光学ファインダー１０４内に設置されている。
【００２７】
表示部５４に表示される情報としては、例えば、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示、外部コンピュータとの接続状態を示す表示、合焦表示、撮影準備完了表示、手振れ警告表示、フラッシュ充電表示、記録媒体書き込み動作表示、等がある。これらの一部又は全部は光学ファインダー１０４内に表示されうる。
【００２８】
不揮発性メモリ５６は、例えばＥＥＰＲＯＭ等の、電気的に消去・記録可能なメモリである。上述したオブジェクトデータは、不揮発性メモリ５６に格納されてもよい。
【００２９】
モードダイヤル６０、シャッタースイッチ６２及び６４、画像表示ＯＮ／ＯＦＦスイッチ６６、フラッシュ設定ボタン６８及び操作部７０は、システム制御回路５０に各種の動作指示を入力するための操作手段を構成し、ボタン、スイッチ、ダイアル、タッチパネル、視線検知によるポインティング、音声認識装置等の単数或いは複数の組み合わせで構成される。
【００３０】
ここで、これらの操作手段の具体的な説明を行う。
モードダイアルスイッチ６０は、例えば電源オフ、自動撮影モード、撮影モード、パノラマ撮影モード、再生モード、マルチ画面再生・消去モード、ＰＣ接続モード等の各機能モードを切り替え設定するためのスイッチである。
【００３１】
第１シャッタースイッチ（ＳＷ１）６２は、シャッターボタン３１０の操作途中（半押し）でＯＮとなり、ＡＦ（オートフォーカス）処理、ＡＥ（自動露出）処理、ＡＷＢ（オートホワイトバランス）処理、ＥＦ（フラッシュプリ発光）処理等の開始をシステム制御回路５０に指示する。
【００３２】
第２シャッタースイッチ（ＳＷ２）６４は、シャッターボタン３１０の操作完了（全押し）でＯＮとなり、撮像素子１４から画像信号を読み出してＡ／Ｄ変換器１６で画像データに変換した後にこれを画像処理回路２０で処理してメモリ制御回路２２を介してメモリ３０に書き込む処理や、メモリ３０から画像データを読み出して圧縮・伸長回路３２で圧縮しその圧縮された画像データを記録媒体２００又は２１０に書き込む処理を含む一連の処理（撮影）の開始をシステム制御回路５０に指示する。
【００３３】
ズーム操作部６５は、撮影画角（ズーム倍率或いは撮影倍率）を変更するために撮影者によって操作される操作部であって、例えば、スライド式の操作部材又はレバー式の操作部材とその動作を検知するスイッチ又はセンサとによって構成されうる。
【００３４】
画像表示ＯＮ／ＯＦＦスイッチ６６は、画像表示部２８の表示ＯＮ／ＯＦＦ設定用スイッチである。光学ファインダー１０４を用いて撮影を行う際に、例えばＴＦＴ ＬＣＤ等から成る画像表示部２８の表示をＯＦＦして電流供給を遮断することにより、省電力を図ることが可能となる。
【００３５】
フラッシュ設定ボタン６８は、フラッシュの動作モードを設定・変更するボタンである。本実施形態において設定可能なモードは、オート、常時発光、赤目緩和オート、常時発光（赤目緩和）がある。オートは、被写体の明るさに応じて自動的にフラッシュを発光して撮影するモードである。常時発光は、常にフラッシュを発光して撮影するモードである。赤目緩和オートは、被写体の明るさに応じて自動的にフラッシュを発光して撮影するとともに、フラッシュ発光の際には、常に赤目緩和ランプを発光するモードである。常時発光（赤目緩和）は、常に赤目緩和ランプとストロボを発光して撮影するモードである。
【００３６】
操作部７０は各種ボタンやタッチパネル等からなり、メニューボタン、セットボタン、マクロボタン、マルチ画面再生改ページボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、圧縮モードスイッチ等がある。
【００３７】
圧縮モードスイッチは、ＪＰＥＧ(Joint Photographic Expert Group)圧縮の圧縮率や、ＲＡＷモードでの記録などを設定、選択するためのスイッチである。ＲＡＷモードでは、撮像素子が出力するアナログ画像信号をそのままデジタル化したデータ（ＲＡＷデータ）を記録する。
【００３８】
なお、本実施形態においてＲＡＷデータとは、撮像素子にて光電変換されたデータをＡ／Ｄ変換しただけのデータのみならず、Ａ／Ｄ変換後に可逆圧縮したデータであってもよい。また、Ａ／Ｄ変換を施したアナログ画像信号に、少なくともホワイトバランス処理を施していない段階のもの、輝度信号と色信号に分ける色分離処理をしていない段階のもの、色補間処理前の段階のもの等、撮像素子からの出力情報を損失なく維持している状態のデータを指す。また、ＲＡＷデータは、デジタル化されたものに限らず、撮像素子から得られるアナログ画像信号そのものでも良い。
【００３９】
本実施形態において、ＪＰＥＧ圧縮のモードは、例えばノーマルモードとファインモードが用意されている。デジタルカメラ１００のユーザは、撮影した画像のデータサイズを重視する場合はノーマルモードを、撮影した画像の画質を重視する場合はファインモードを、それぞれ選択して撮影を行うことができる。
【００４０】
ＪＰＥＧ圧縮のモードにおいては、圧縮伸長回路３２が、メモリ３０に書き込まれた画像データを読み出し、設定された圧縮率に圧縮した後、例えば記録媒体２００に記録する。
【００４１】
ＲＡＷモードでは、撮像素子１４の色フィルタの画素配列に応じて、ライン毎にそのままアナログ画像信号を読み出し、Ａ／Ｄ変換器１６、メモリ制御回路２２を介して、メモリ３０に書き込まれた画像データを、記録媒体２００または２１０に記録する。
【００４２】
なお、本実施形態のデジタルカメラ１００は、ユーザによる１回の撮影操作に応答して複数の画像データ記録が可能な複数同時記録モードを有しており、このモードでの撮影記録には、オートブラケットモードに代表される、ホワイトバランスや露出といった撮影条件を段階的に変えた画像データの記録だけでなく、ＪＰＥＧ形式及びＲＡＷ形式での記録といったように、データ形式の異なる複数の画像データ記録や、圧縮率の異なる同形式の画像データ記録、所定の画像処理を行った画像データと、行わない画像データの記録といったような、撮影後の画像処理内容が異なる画像の記録も含まれる。
【００４３】
電源制御部８０は、例えば、電源検出回路、ＤＣ−ＤＣコンバータ、通電するブロックを切り替えるスイッチ回路等を含む。そして、電源の有無、電源の種類、電池残量の検出を行い、その検出結果とシステム制御回路５０からの指令に従って、ＤＣ−ＤＣコンバータを制御し、必要な電圧を必要な期間、必要なブロックに供給する。電源８６は、例えば、アルカリ電池やリチウム電池等の一次電池や、ＮｉＣｄ電池やＮｉＭＨ電池、Ｌｉ電池等の二次電池、ＡＣアダプター等である。デジタルカメラ１００の本体と電源８６は、それぞれが有するコネクタ８２、８４によって接続される。
【００４４】
記録媒体２００及び２１０は、半導体メモリや磁気ディスク等から構成される記録部２０２、２１２と、デジタルカメラ１００とのインターフェース２０４、２１４及びコネクタ２０６、２１６を有している。記録媒体２００及び２１０は、媒体側のコネクタ２０６、２１６とデジタルカメラ１００側のコネクタ９２、９６とを介してデジタルカメラ１００に装着される。コネクタ９２、９６にはインターフェース９０及び９４が接続される。記録媒体２０２、２１２の装着有無は、記録媒体着脱検知部９８によって検知される。
【００４５】
なお、本実施形態ではデジタルカメラ１００が記録媒体を取り付けるインターフェース及びコネクタを２系統持つものとして説明しているが、記録媒体を取り付けるインターフェース及びコネクタは、単数を含む任意の数備えることができる。また、系統毎に異なる規格のインターフェース及びコネクタを用いても良い。
【００４６】
インターフェース及び９４、そしてコネクタ９２及び９６としては、例えばＰＣＭＣＩＡカードやＣＦ（コンパクトフラッシュ（登録商標））カード等、規格に準拠したものを用いることができる。この場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を相互に転送することができる。
【００４７】
光学ファインダー１０４は例えばＴＴＬファインダーであり、プリズムやミラーを用いてレンズ１０を通じた光束を結像する。光学ファインダー１０４を用いることで、画像表示部２８による電子ファインダー機能を使用すること無しに撮影を行うことが可能である。光学ファインダー１０４内には、表示部５４の一部を構成する表示素子、例えば、合焦表示、手振れ警告表示、フラッシュ充電表示、シャッタースピード表示、絞り値表示、露出補正表示を行うための表示素子が配置されうる。
【００４８】
通信回路１１０は、ＵＳＢ、ＩＥＥＥ１３９４、Ｐ１２８４、ＳＣＳＩ、モデム、ＬＡＮ、ＲＳ２３２Ｃ、無線通信等の各種通信機能を提供する。通信回路１１０には、デジタルカメラ１００を他の機器と接続するためのコネクタ１１２、又は、無線通信機能を提供する際にはアンテナが接続されうる。
【００４９】
図２は、デジタルカメラ１００の外観構成の一例を示す図である。なお、図２においては、説明のために不要な構成部分は省略されている。上述の操作部７０は、例えば図２に示すボタン又はスイッチ３０１〜３１１を含む。デジタルカメラ１００の電源をＯＮ／ＯＦＦしたり、撮影条件を設定或いは変更したり、撮影条件を確認したり、装置状態を確認したり、撮影済みの画像を確認したりする際に、これらのボタン又はスイッチ３０１〜３１１がユーザによって操作される。
【００５０】
電源ボタン３１１は、デジタルカメラ１００を起動及び停止させるため、或いは、デジタルカメラ１００の主電源をＯＮ／ＯＦＦするボタンである。メニューボタン３０２は、デジタルカメラ１００の撮像条件や動作モードなどの設定メニューや、デジタルカメラ１００の状態を表示させるためのメニューなどを表示するためのボタンである。メニューは、例えば階層構造を有し、各階層において選択可能な項目や値を変更可能な項目を含むメニューとして構成されうる。
【００５１】
消去ボタン３０１は、画像閲覧モード或いは撮影画像確認画面にて、表示している画像を消去する際に押下される。本実施形態において、撮影画像確認画面は、撮影画像が撮影後すぐに画像表示部２８に表示され、撮影結果を確認できる画面（所謂クイックレビュー画面）である。また、本実施形態においては、ユーザがシャッターボタン３１０を押下して撮影を指示し、撮影後も押下状態を維持している間、画像確認画面が表示されるように構成されている。
【００５２】
決定ボタン３０３は、モード或いは項目を決定或いは選択する際に押下される。システム制御回路５０は、決定ボタン３０３が押下されると、その時に選択されているモード或いは項目を設定する。表示ＯＮ／ＯＦＦボタン６６は、撮像した画像についての撮影情報の表示・非表示を選択したり、画像表示部２８を電子ファインダーとして機能させるか否かを切り替えたりするために使用される。
【００５３】
左ボタン３０５、右ボタン３０６、上ボタン３０７、下ボタン３０８は、カーソル又はハイライト部等のような、複数の選択肢の中で選択されている選択肢（例えば、項目、画像）を変更するため、又は、選択されている選択肢を特定する指標の位置を変更するため、又は、数値（例えば、補正値や日時等を示す数値など）を増減させるためなどに使用されうる。
【００５４】
シャッターボタン３１０は、前述のように、例えば、半押し状態で、ＡＦ（オートフォーカス）処理、ＡＥ（自動露出）処理、ＡＷＢ（オートホワイトバランス）処理、ＥＦ（フラッシュプリ発光）処理等の開始がシステム制御回路５０に指示され、全押し状態で、撮影がシステム制御回路５０に指示されるように構成されうる。
【００５５】
ズーム操作部６５は、前述のように、撮影画角（ズーム倍率或いは撮影倍率）を変更するために撮影者によって操作される。
録画／再生切り替えスイッチ３１２は、録画モードを再生モードに、及び、再生モードを録画モードに切り替えるために使用される。なお、上記のような操作系に代えて、ダイアルスイッチを採用してもよいし、他の操作系を採用することもできる。
【００５６】
（通常記録時の動作）
以下、本実施形態に係るデジタルカメラ１００の動作について説明する。
図３は、１回の撮影操作で１つの画像データファイルを生成、記録する、通常撮影モードにおける処理の流れを示すフローチャートである。この処理は、システム制御回路５０が必要に応じて各ブロックを制御しながら実行する。
【００５７】
ここで、本実施形態のデジタルカメラ１００は、撮影した画像を直ちに画像表示部２８に表示し、撮影結果を直ちに確認可能とする機能（クイックレビュー機能）を有しており、通常はこのクイックレビュー機能の利用が設定されているものとする。
【００５８】
まず、ステップＳ１０で、システム制御回路５０は、操作部７０を介した撮影開始指示の入力を待つ。このステップでは、シャッターボタン３１０の半押し状態（第１のシャッタースイッチ６２がＯＮ）までの処理が行われる。シャッターボタン３１０が全押しされ、第２のシャッタースイッチ６４がＯＮになった場合、システム制御回路５０は撮影開始指示の入力がなされたものと判定し、ステップＳ１５で、各種設定に応じた撮影処理を行う。この段階では撮影画像データは記録媒体２００又は２１０へ記録されずにメモリ３０に格納されていても良いし、記録媒体２００又は２１０へ記録されてもよい。
【００５９】
撮影画像データの生成が終わると、撮影画像確認画面（クイックレビュー画面）の表示処理を行う。通常クイックレビューはシャッターボタン３１０が押下されている間、及びシャッターボタン３１０が離されてから一定時間表示されるが、その表示中に何かしらのボタン、例えば通常決定に使用する３０１ボタン等を押下すると、クイックレビューがホールドされて後述するクイックレビュー解除動作を行うまで表示し続ける事が可能としてもよい。クイックレビュー解除動作としては、再びシャッターボタン３０１が半押しされるが、或いは別途解除専用の部材を用いるとしてもよく、またクイックレビュー中の削除を実行した場合にも当然クイックレビューは終了する。メモリ制御回路２２は、メモリ３０又は、記録媒体２００又は２１０から、今撮影した画像データを読み出し、画像表示メモリ２４へ書き込む。また、システム制御回路５０内の画像処理部５０ａは、撮影画像確認画面（クイックレビュー画面）から画像の削除、保存を含む指示をユーザが入力するためのグラフィカルユーザインタフェースの画像データを画像表示メモリ２４に書き込む（ステップＳ２０）。
【００６０】
図７は、撮影画像確認画面の例を示す図である。この例では、撮影した直後の画像４００と、その削除及び保存を指示するためのグラフィカルユーザインタフェースである削除ボタン４０１、保存ボタン４０２が表示されている。
【００６１】
例えば削除ボタン３０１が押下されるか、画面中の削除ボタン４０１が選択状態にある際に決定ボタン３０３が押下されるなどにより、ユーザから画像の削除指示があった場合（ステップＳ３０，Ｙｅｓ）には、ステップＳ５０で削除処理が行われる。
【００６２】
一方、削除指示がなされずにクイックレビュー表示が解除された場合や、画面中の保存ボタン４０２が選択状態にある際に決定ボタン３０３が押下されるなどにより、ユーザから画像の保存指示があった場合（ステップＳ３０，Ｎｏ）には、ステップＳ４０で保存処理が行われる。
【００６３】
ステップＳ５０で、システム制御回路５０は、メモリ制御部２２を制御し、現在表示中の撮影画像に対応する画像データをメモリ３０又は、記録媒体２００又は２１０から削除させる。
【００６４】
一方、ステップＳ４０では、システム制御回路５０は、メモリ制御部２２を制御し、現在表示中の撮影画像に対応する画像データをメモリ３０から記録媒体２００又は２１０へ記録させる。現在表示中の撮影画像に対応する画像データが既に記録媒体２００又は２１０へ記録されている場合には、特に何も行わない。
【００６５】
上述したように、本実施形態において、画像データをどのタイミングで記録媒体２００又は２１０にファイルとして記録するかには、いくつかの制御方法がある。例えば、ステップＳ１５で撮影を行った直後から記録媒体に画像データファイルを記録し始め、ステップＳ３０で削除が選択された時点で画像データファイルの記録が途中であれば記録動作を中止し、記録が完了していれば実際に記録媒体から画像データファイルを削除するようにしてもよい。或いは、撮影画像確認画面を表示している状態では画像データの記録媒体への記録は行わず、ステップＳ３０で画像削除が選択されなかった場合に初めて記録媒体に画像データファイルの記録を開始しても良い。
【００６６】
いずれにしても、撮影画像確認画面から削除が指示されなかった場合には撮影画像が記録され、削除指示がなされた場合には撮影画像が記録されなければ、その過程における処理方法を問わない。
【００６７】
（複数同時記録時の動作）
次に、図４に示すフローチャートを用いて、本実施形態のデジタルカメラ１００における複数同時記録時の動作について説明する。上述したように、本実施形態のデジタルカメラ１００は、一度の撮影にて複数の画像データファイルを生成、記録する複数同時記録機能を有する。そして、撮影前に、複数同時記録を行うか上述の通常記録を行うかをメニューボタン３０２及び決定ボタン３０３によってユーザに選択させ、その選択結果に応じて図３のフローチャートの処理か図４のフローチャートの処理のいずれかを実行するように構成されている。
【００６８】
複数の画像データファイルを生成、記録する機能は、複数の方法で実現することができる。例えば、撮影者の一度の撮影操作（シャッター全押し）に対し、デジタルカメラ１００が自動で（複数回シャッターを切って）連続撮影を行い、複数の画像データファイルを生成、記録する方法や、撮影者の一度の撮影操作に対してデジタルカメラ１００が１回の撮影を行い、この撮影で得られた画像データ（オリジナル画像データ）に対して何らかの画像処理を施したものを別画像として生成、記録する方法などである。このように一度の撮影にて、一連の複数の画像データファイルから構成されるグループが生成される。
【００６９】
しかし、本実施形態においては、撮影者の一度の撮影操作の結果として複数枚の画像データファイルが生成、記録されれば、デジタルカメラ１００がシャッターを切る回数やタイミングを初め、その過程での処理についての制限はない。
【００７０】
ステップＳ１０において、通常記録時と同様に撮影指示を待つ。そして、撮影指示が入力されると、ステップＳ１６で、システム制御回路５０は、予め定められた記録方法に従った複数同時記録のための撮影処理（撮影及び画像データ生成処理）を行う。
【００７１】
このような記録方法としては、以下のようなものがあげられる。
（１）通常の撮影条件を適用した画像と、異なる撮影条件を適用した画像とを記録。
例えば通常の露出（又はホワイトバランス）での撮影と、±１絞り露出補正（又はホワイトバランスを色温度を所定量プラスマイナス）した撮影といったオートブラケット撮影がこれに当たる。また、フォーカスポイントを段階的にずらして複数回の撮影をするオートフォーカスブラケットもある。
（２）撮影条件は共通であるが、その後の画像処理のパラメータが通常である画像と、異なる画像とを記録。
オリジナル画像データと、オリジナル画像データに対して所定の画像処理（例えば色変換、色強調などの色処理、エッジ強調などのフィルタ処理などのパラメータ）を行った画像を記録する場合や、オリジナル画像データと、符号化処理の方法や圧縮率が異なる画像を別画像として記録する場合がこれに当たる。なお、ホワイトバランスを変化させた画像は、撮影条件の変更によるものだけでなく、オリジナル画像データに対する画像処理パラメータを変更することによっても実現できる。
【００７２】
そして、ステップＳ２１で、システム制御回路５０は、通常記録時と同様に画像確認画面の提示を行う。ただし、本実施形態においては、撮影処理で生成した複数の画像データのうち、オリジナル画像データ以外の画像を１枚表示する。例えば、オリジナル画像データ中の赤色部分を他の色に変換するといった色変換処理を行った画像データをオリジナル画像データとともに記録する設定がなされている場合、色変換処理を行った画像データのみを撮影画像確認画面で表示する。また、オートブラケット撮影を行った場合には、露出やホワイトバランスなどを変更して撮影した画像のうち、１枚を表示する。オリジナルでない画像データファイル（加工画像データファイル）が複数生成される場合には、予めどの画像データファイルを撮影画像確認画面に表示するか設定しておくことができる。
【００７３】
通常、ブラケット撮影や色変換処理などが設定されている場合、撮影者の興味は補正後或いは画像処理がなされた加工画像データにあるものと考えられる。そのため、本実施形態においては、加工画像データを撮影直後に表示する構成としている。これにより、生成された複数の画像データを表示する場合よりも処理負荷が少なく、画像表示がなされるまでのタイムラグが短くなる上、撮影者の関心が最も高いと思われる画像が表示できるため、使い勝手も向上できる。
【００７４】
なお、例えば撮影画像確認画面を表示中に上下ボタン３０７、３０８または左右ボタン３０５、３０６が押下された場合には、他の加工画像データを順次もしくは、分割画面や複数画面を有する場合には複数同時に表示させるように構成してもよい。また、オリジナル画像データも含めて順次もしくは、分割画面や複数画面を有する場合には複数同時に表示させるようにしても構わない。
【００７５】
上述したようにして撮影画像確認画面から削除指示があった場合、システム制御回路５０はステップＳ５１において削除処理を行う。ここでは、複数同時記録機能により生成された複数の画像データファイル全てを削除する。削除対象となる複数の画像ファイルの特定方法としては、様々な方法があり、またどのような方法を用いても構わない。例えば、予め加工画像データの生成数（ｎとする）が分かっている場合には、画像データファイルを新しい順からオリジナル画像データを含めて（ｎ＋１）枚分削除すればよい。或いは、画像データファイル生成時に、同じ撮影処理で生成されたことを示すグループ識別情報をヘッダに記録するようにし、同一グループ識別情報を有する画像データファイルを検索して削除するようにしてもよい。複数のデータファイルから構成されるグループを複数表示している場合は、削除をしたい画像１枚にカーソルやハイライト部を上下左右ボタン３０５〜３０８で移動させて選択すると、選択された１枚を含むグループを構成する画像データファイル全てが削除されるように構成する。
【００７６】
このように、本実施形態では、撮影直後に表示する撮影画像確認画面に、撮影者の関心が高いと考えられる加工画像データを表示する。そのため、撮影画像確認画面で削除指示がなされた場合には、他の画像データを含め、今回の撮影自体が失敗であったと撮影者が考えている可能性が高いとみなし、同一撮影処理で生成された複数の画像データ全てを削除する。
【００７７】
一方、削除指示がなされずにクイックレビュー表示が解除された場合や、画面中の保存ボタン４０２が選択状態にある際に決定ボタン３０３が押下されるなどにより、ユーザから画像の保存指示があった場合（ステップＳ３０，Ｎｏ）には、ステップＳ４１で保存処理が行われる。
【００７８】
ステップＳ４１で、システム制御回路５０は、メモリ制御部２２を制御し、現在表示中の撮影画像を含めた複数の画像データをメモリ３０から記録媒体２００又は２１０へ記録させる。複数同時記録機能により生成された複数の画像データが既に記録媒体２００又は２１０へ記録されている場合には、特に何も行わない。
【００７９】
図５は、本実施形態のデジタルカメラ１００において、画像処理を行った加工画像データと、オリジナル画像データの両方を記録する場合の処理を模式的に示した図である。
【００８０】
第１及び第２画像バッファ３１、３２は例えばメモリ３０における異なる領域を用いて実現される。一般的に、撮像素子を用いる撮像装置では、ＲＡＷデータを第１画像バッファ３１に一時的に格納し、撮像装置の各設定に従いホワイトバランスや色の調整などの現像処理を行う。その後、所定の圧縮記録フォーマット、例えばＪＰＥＧ形式の画像データに変換し、第２画像バッファ３２に展開してから、記録媒体２００又は２１０へ記録する。
【００８１】
このように、記録媒体２００又は２１０への記録は、第２画像バッファ３２を介して行われるため、色変換処理やホワイトバランス補正などの加工がなされた画像と、加工がなされてないオリジナル画像の両方を記録する場合は、加工画像を記録した後、オリジナル画像を第２画像バッファに展開して記録媒体２００又は２１０へ記録する。
【００８２】
つまり、まず撮影操作により撮像素子１４から取り込んだ情報をＲＡＷデータとして第１画像バッファ３１に一時的に記憶し、そのデータに対して設定に応じた様々な画像加工処理と、データ圧縮処理行った加工画像データを第２画像バッファ３２に展開する。そして、第２画像バッファ３２に展開された画像データを記録媒体２００又は２１０へ記録する。加工画像データの記録が完了すると、再度第１画像バッファ３１にあるＲＡＷデータから、今度は加工を行わない（通常の現像処理のみを行った）オリジナル画像データを所定フォーマットで第２画像バッファ３２に展開し、記録媒体２００又は２１０へ記録する。
【００８３】
一度の撮影につきデジタルカメラ１００は内部的にこの様な処理を複数回行う事により、複数枚の画像を記録する。しかしながらここに於いても前述した通り、撮影画像確認画面から削除指示がなされるかどうかにより、複数枚の画像全てが削除されるか、記録媒体に記録されるかが決定されることが重要であり、その間の詳細なプロセスとしての画像の記録、記録の途中破棄、消去、及び消去のキャンセル等の実現方法はどのようなものであってもよい。また、ここでは複数の画像データが撮影画像確認画面での指示とは独立して順次記録媒体に記録される場合について説明したが、第２画像バッファと同等の画像バッファを複数確保し、記録媒体２００又は２１０へ記録できる状態の画像データファイルをメモリ３０内に用意し、記録媒体２００又は２１０への記録は撮影画像確認画面から削除指示がなかった場合に開始するように構成することもできる。
【００８４】
（画像閲覧モードでの動作）
本実施形態に係るデジタルカメラ１００では、撮影画像確認画面での削除処理に関しては複数同時記録機能で生成された複数の画像データを一括して取り扱うが、記録媒体への保存が確定した後は、従来と同様、オリジナル画像、加工画像の区別無く、個別の画像データとして取り扱う。
【００８５】
図６は、本実施形態に係るデジタルカメラ１００の画像閲覧モードにおける動作を説明するフローチャートである。
ステップＳ６０において、システム制御回路５０は例えば記録媒体２００に記録された画像のサムネールデータを読み出し、画像表示部２８に一覧表示する。そして、ユーザが上下左右ボタン３０５〜３０８と、決定ボタン３０３を用い、一覧表示中のサムネールから、閲覧する画像を選択、表示を指示する。この指示に従い、システム制御回路５０は選択されたサムネールに対応する本画像データを記録媒体２００から読み出し、画像表示部２８の全面に表示する（ステップＳ７０）。
【００８６】
この状態で、例えば削除ボタン３０１が押下されると、システム制御回路５０は削除確認画面を表示させ、確認された場合には表示中の画像データに対応する画像データファイルを記録媒体２００から削除する（ステップＳ８０）。
【００８７】
このように、画像閲覧モードで画像を閲覧中に削除指示がなされた場合には、従来の撮像装置と同様、表示している画像のみを消去する。
【００８８】
以上説明したように、本実施形態によれば、一度の撮影操作で複数の画像データが生成、記録される複数同時記録機能を有する撮像装置において、複数同時記録による撮影直後に表示する撮影画像確認画面から削除指示がなされた場合には、同じ撮影処理に係る複数の画像データ全てを削除する。そのため、複数同時記録での撮影に失敗した場合や、撮影直後に撮影を取り消したい場合、従来必要であった、閲覧モードに切り替え、個別に削除処理を繰り返すという手間が省け、使い勝手がよい。
【００８９】
また、複数同時記録による撮影直後に表示する撮影画像確認画面では、オリジナル画像データではなく、加工画像データを表示するようにしたため、ユーザは撮影の成否や撮影画像の保存必要性を素早く判定することができる。また、表示画像を１枚とすることで、撮影から撮影画像確認画面の表示までに要するタイムラグを短縮することができる。
【００９０】
（他の実施形態）
上述の実施形態では、記録媒体に記録する画像の形式について特に記載しなかったが、オリジナル画像データ、加工画像データともＪＰＥＧ形式であってもよいし、オリジナル画像データの代わりにＲＡＷデータを記録してもよい。
【００９１】
また、ＲＡＷデータを記録する場合には、ＲＡＷデータと、加工無しでの現像処理を行うためのパラメータ（現像パラメータ）と、ホワイトバランスなどを変更するような加工処理を含めた現像処理を行うための加工用現像パラメータとを記録するようにしても良い。
【００９２】
また、ＲＡＷデータのヘッダには、現像済みの画像データとして加工無し、あるいは加工ありのＪＰＥＧ画像データが埋め込まれている。これにより、加工無し、加工有りの画像を関連付けて管理することが可能であるが、撮影条件パラメータ、現像処理済み画像データが互いに関連付けられていれば、他の方法によって管理してもよい。
【図面の簡単な説明】
【００９３】
【図１】本発明の実施形態に係る撮像装置としてのデジタルカメラの構成例を示すブロック図である。
【図２】本発明の実施形態に係る撮像装置の外観構成例を示す斜視図である。
【図３】本発明の実施形態に係る撮像装置における通常撮影時の動作について説明するフローチャートである。
【図４】本発明の実施形態に係る撮像装置における複数同時記録時の動作について説明するフローチャートである。
【図５】本発明の実施形態に係る撮像装置における画像データの書き込み処理について説明する図である。
【図６】本発明の実施形態に係る撮像装置における閲覧モード時の動作について説明するフローチャートである。
【図７】本発明の実施形態に係る撮像装置において表示される撮影画像確認画面の例を示す図である。
【図１】
2006203809.tif 000003
【図２】
2006203809.tif 000004
【図３】
2006203809.tif 000005
【図４】
2006203809.tif 000006
【図５】
2006203809.tif 000007
【図６】
2006203809.tif 000008
【図７】
2006203809.tif 000009